(57)【要約】      （修正有）【課題】植物の美しさを引き立てつつ、しかもそれに見劣りしない風格と美を有する観葉植物の装飾品を提供する。【解決手段】植物１を固化培土２に植栽すると同時に固化培土を所望の形に形成し、その後、紐、縄、綱等を用いて固化培土を巻き付け、装飾することによる、植木鉢が不要な新しい観葉植物の手毬風装飾品。【選択図】図１
2015058003.tif 000002
【特許請求の範囲】
【請求項１】
植物が植栽された固化培土を芯として、紐状素材を巻きつけたことを特徴とする手毬風装飾品。
【請求項２】
苧環が紐状素材に取り付けられたことを特徴とする請求項１に記載の手毬風装飾品。
【請求項３】
紐状素材が、化学繊維でできていることを特徴とする請求項１に記載の手毬風装飾品。
【発明の詳細な説明】
【技術分野】
【０００１】
本発明は、植木鉢を用いないで観葉植物を植栽する新規な装飾品に関する。更に詳しくは、自由自在に形作られた固形培養土に観葉植物を植栽したものを芯とし、その芯の上に様々な糸、紐、或いは、縄等で巻いた手毬風の装飾品に関する。
【背景技術】
【０００２】
植木鉢の起源は明らかではないが、屋外に放置した土器に土が溜り、そこに何らかの方法で種子が入り込んで育ったものをヒントに使用され始めたという説があり、古代文明において、既に存在したものであると言われている。それ以後、庭園という場所を必要としないため、造園技術を不要とした単独の文化として君臨している。
【０００３】
中国では盆栽の祖型である盆養が遅くとも唐代には行なわれ、宋代には確実に植木鉢による栽培が行なわれていた。それが、日本の平安時代末期にあたり、貿易商の手によって持ち込まれたと言われている。その後日本では、能楽「鉢の木」から分かるように、鎌倉時代において、鉢植え(盆養)が趣味園芸として一般庶民に広まっていたことが伺える。更に江戸時代は、園芸が興隆した時代で、中でも鉢植えが愛好され、盆栽でみられる梅、桜、松ばかりではなく、朝顔のような一般的な植物も鉢植えされるようになった。入谷朝顔市は明治時代初期に始まったものであるが、今戸焼の植木鉢が使われていた。
【０００４】
このような植木鉢として、庶民が使う場合や、繁殖や初期育成等に使う場合には、日用品的な素焼鉢や陶器鉢が用いられていたが、盆栽では、樹木の美しさを引き立てつつ、それに見劣りしない風格と美を有する高級品が用いられるようになった。伊万里焼の染付、古伊万里、信楽焼き、楽焼等の日本製の陶磁器ばかりか、中国製の景徳鎮等の磁器や、花色を活かすために茶道の茶道具にも通ずる侘びた風情の陶器鉢が愛用される例も見られ、江戸時代の園芸は、これら多様な陶磁器鉢に支えられていた。これは、現代の植木鉢及びそれを用いた園芸の礎をなしている。
【０００５】
ヨーロッパにおいても、１６世紀頃から園芸が急速に発展し、芸術的な植木鉢が用いられた。特に、ルネサンス期のバロック式庭園では、大理石や青銅等で作製された古代ギリシャ風の飾り鉢や花鉢、マヨリカ製の錫釉陶器である色鮮やかな植木鉢等が好まれた。イギリスでは、当初素焼で飾り気のない鉢が用いられていたが、次第に展示用の飾り鉢が発達した。１８世紀から１９世紀になると、マイセン、セーブル、ウェッジウッドをはじめとする著名な窯等で製造された、豪華で調度にも引けをとらない磁器、陶器の飾り鉢が用いられるようになった。特に、ジャスパーウェアには、茶器や壷等に混じって、植木鉢もしばしば散見される。また、フランスでも、マホガニー等を使った木製の豪華な植木鉢があり、銀製、銅製、錫製、真鍮製、七宝製、或いは、ガラス製の凝ったデザインのものも少なくない。
【０００６】
しかし、２０世紀に入ると、成型加工がし易く、非常に安価なプラスチック材料の出現により、大量に安価で、しかも様々なデザインの植木鉢が用いられるようになった。特に、育苗用の鉢としては、プラスチック製ポットが圧倒的である。しかしながら、保水、排水や通気のバランスがよいこと、美観的に植物によくなじむこと、直射日光や水に対して丈夫なこと等、植木鉢に備わっていなければならない特性が不十分であり、陶磁器製植木鉢を駆逐するまでには至っていない。
【０００７】
このように、観葉植物の植栽用植木鉢は、生きた植物のもつ色彩の美しさや生命感のもつ変化性、柔軟性、適応性等の特徴を引き立てる存在として、観葉植物の植栽に必要不可欠な存在として君臨してきたし、また、現在においても、その意義に変わりはない。
【０００８】
現在も、植木鉢に求められる上記特性を求めて、例えば、特許文献１〜７に開示されているように、植木鉢の構造、材質、植木鉢カバー等、様々な観点から進化を遂げている。
【０００９】
一方、上述したような芸術的観点とは異なり、工業的観点からは、就農人口の減少、就農人員の高齢化などに伴って、農作業の省力化、機械化が重要な課題として存在する。その１つとして、小さな容器で育てた苗を移植機で根鉢ごと容器から抜き取って、田畑に自動的に植え付ける方法が広く採用されるようになった。
【００１０】
この分野においては、プラスチック等からなる小さな容器を連結して設けたトレー中で、野菜、草花、果樹、樹木等の種子を所定期間育苗し、それを根鉢ごと小容器から抜き取って移植機で田畑に植え付ける方法から、根鉢の形態を保持できる固化培土を用いる方法に進化してきた。
【００１１】
これは、上記プラスチック容器を使う方法では、わずかな衝撃で根鉢の形が崩れてしまい、移植機による苗の植え付けが困難であるという課題が、例えば、特開２００２−０５８３３９号公報等に開示されているように、イオン性吸水性樹脂を培土に混合したもの、培土に寒天ゲル、ベントナイト、澱粉等の結合剤を添加したもの、培土に繊維を添加したもの等、根鉢の形態を保持できる固化培土によって解決されたためである。
【００１２】
近年では、このような固化培土が、特開２００３−３３９２２６号公報や特開２００４−０６５１５０号公報等に開示されているように、適度な保水性を有しながら排水性に優れ植物を健全に生育させることができる上、軽量で、取扱い性及び施工性に優れるため、屋上等に施工するときに建造物へ大きな負荷を与えない、しかも強度の高い栽培床等を形成することのできる植物育成基材、或いは、それから得られる栽培床として活用されるようになった。特に、屋上や法面等のような風や雨によって土の飛散や流失が生じやすい場所に施工しても栽培床の崩壊が生じず、植物を健全に生育させることができるため、地球環境保全という観点も加わり、屋上緑化のための栽培床用として広く用いられるようになった。
【００１３】
また、このような固化培土の技術は、特開２００５−００６５８０号公報に開示されているように、糸巻きという煩雑な作業を不要化する苔玉の素材としても利用されるようになった。従来、苔玉は、鉢の中に根を隙間なく張らせ、鉢なしでも崩れないようにする「根洗い」という手法の応用によって根鉢が製作され、その土の外側に糸でコケを巻きつける園芸技術で、従来にない植木鉢が不要な観葉植物の装飾品の地位を築いてきた。
【００１４】
しかし、糸巻きが煩雑で、手間や時間のかかる工程が弊害となっていた。そこで、特開２００５−３２３５２０号公報に開示されているように、網籠体を用いて、糸巻きの困難な作業の負荷を低減した苔玉作製方法が提案されているが、糸巻きという作業がないわけではない。更に、特開２００５−００６５８０号公報によれば、熱融着性繊維を含む特殊な固化培土を苔と一緒に加熱成型することによって、糸巻きの不要な苔玉を作製することができる技術が開示されている。
【先行技術文献】
【特許文献】
【００１５】
【特許文献１】特開２０００−０６９８５３号公報
【特許文献２】特開２００３−０３８０３７号公報
【特許文献３】特開２００３−０９２９２８号公報
【特許文献４】特開２００６−１９７９１６号公報
【特許文献５】特開２００６−２２３２９８号公報
【特許文献６】特開２００８−０５４５２６号公報
【特許文献７】特開２００８−０６１５３３号公報
【特許文献８】特開２００２−０５８３３９号公報
【特許文献９】特開２００３−３３９２２６号号公報
【特許文献１０】特開２００４−０６５１５０号公報
【特許文献１１】特開２００５−００６５８０号公報
【特許文献１２】特開２００５−３２３５２０号公報
【発明の概要】
【発明が解決しようとする課題】
【００１６】
本発明は、植物の美しさを引き立てつつ、しかもそれに見劣りしない風格と美を有する観葉植物の装飾品を提供することである。
【課題を解決するための手段】
【００１７】
本発明は、上記技術背景に鑑み、固化培土に関する最新技術と、日本の文化・伝統ある手毬の技術を融合させることによって、古い歴史ある植木鉢を用いることのない観葉植物の装飾品を見出し、本発明の完成に至った。
【００１８】
すなわち、本発明は、植物を固化培土に植栽すると同時に固化培土を所望の形に形成し、その後、紐、縄、綱等を用いて固化培土を巻き付け、装飾することによって、植木鉢が不要な新しい観葉植物の手毬風装飾品を提供するものである。
【発明の効果】
【００１９】
本発明により、植木鉢を用いることなく、植物の美しさを引き立てつつ、しかもそれに見劣りしない風格と美を有する日本古来の手毬を連想させる装飾品が得られる。
【００２０】
この装飾品は、紐として、スパンコールやビーズ等を用いることもできるため、盆栽や苔玉等の純和風式装飾品としてだけでなく、洋風の装飾品としても効果的である。
【図面の簡単な説明】
【００２１】
【図１】観葉植物の手毬風装飾品の模式図である。
【図２】実施例１で作製された手毬風装飾品の写真である。
【図３】実施例２で作製された手毬風装飾品の写真である。
【発明を実施するための形態】
【００２２】
本発明の手毬風装飾品は、少なくとも、観葉植物、固化培土、及び、紐状素材から構成される。
【００２３】
観葉植物としては、熱帯、亜熱帯産の葉の美しい植物である、アイビー、アジアンタム、アレカヤシ、インドゴム、オリヅルラン、サンセベリア、シェフレラ、スパティフィラム、ドラセナ、ネオレゲリア、パキラ、ベンジャミン、ポトス、モンステラ、レックスベゴニア等に限定されることはなく、盆栽に用いられる松、桜、楓、梅、柿等の温帯性樹木、ボテン、アロエ、ハマミズナ等に代表される多肉植物、ハボタンやコリウスなどの一二年草、斑入りの宿根草、アクアリウムの水草、オモト、イワヒバ、サイシン、マンリョウ、錦葉ゼラニウム等を用いることができ、制限はない。特に、樹木や葉の形状、色彩、斑等の模様を鑑賞することができるものであればより好ましい。また、このような一般的な観葉植物に限定されるものではなく、ロサキネンシス・ミニマが源であると言われる矮小性のバラである各種ミニバラ、同じバラ科でも果実をつける苺等のように、美しい花や果実を観賞する植物も好ましく用いられる。
【００２４】
固化培土としては、所望の形状に固め、その形状を維持できるものであれば、制限されるものではないが、エクセルソイル（登録商標）に代表される合成繊維を混入した培土、パルコートグリーン（登録商標）に代表される無機系凝集剤を混合した培土、アルギン酸ナトリウムやポリアクリル酸共重合体等の有機系凝集剤を混合した培土等が好ましく用いられる。特に、加熱成型によってあらゆる形状を簡単に作製できるエクセルソイルはより好ましい。
【００２５】
紐状素材は、その基本単位となる繊維が、天然繊維であっても、化学繊維であっても特に制限されない。天然繊維としては、植物繊維、動物繊維、鉱物繊維、食物繊維等がある。化学繊維としては、合成繊維、半合成繊維、炭素繊維、ガラス繊維、人造鉱物繊維（ロックウール、グラスウール、セラミックファイバー等）等がある。しかし、耐水性や耐久性を考慮すると、化学繊維がより好ましく用いられる。中でも、繊維の多様性という観点も加味すると、ポリエステル繊維、アクリル繊維、それらを混合した繊維等が更により好ましい。
【００２６】
最も細いものでは、絹や合成繊維等のように連続した長さを有する長繊維一本からなる単繊維（モノフィラメント）、例えば、漁網や釣り糸を用いることができる。また、単繊維より太いものとしては、このような単繊維を何十本も撚り合わせて作られる糸（マルチフィラメント）や木綿、羊毛、合成繊維を裁断した短繊維を紡績して得られた糸も用いることができる。この場合は、固化培土の素材をそのまま生かす場合に好ましく用いることができる。
【００２７】
太いものとしては、上記各種糸を撚り合わせた紐が好ましく用いられる。紐とは、物をしばったり束ねたりするのに用いる細長いもので、ふつう、糸より太く、縄より細いものと定義される。この場合の材質は、糸を撚り合わせたものに限定されず、麻・布・紙・革等も用いることができる。特に、日本の伝統的な紐である、細い絹糸や綿糸を編んで織り上げた組み紐（角打ち紐、平打紐、丸打紐）、縦糸と横糸を使い機で織った平たく狭い織物の紐である真田紐等は好ましく用いられるが、耐水性を考慮すると、繊維は合成繊維であることが好ましい。また、作業性、耐久性等から、紐を切断した際にほどけないようにされているものが好ましい。
【００２８】
太いものとしては、縄で、上記紐を撚り合わせて作った、物を縛ったりつないだりする場合に用いる細長い紐と定義される。麻・わら等をより合わせて作られたものも用いることができる。紐と同様、切断した際にほどけないようにされているものが好ましい。
【００２９】
綱とは、更に、紐や縄を撚り合わせて長く作ったもので、針金をより合わせて長くつくったものも用いられる。紐や縄と同様、切断した際にほどけないようにされているものが好ましい。
【００３０】
紐・縄・綱等に限らず、鎖、リボン、スパンコール、ビーズ、蔓等を用いることができる。
【００３１】
鎖とは、金属製の輪を数多くつなぎ合わせて、ひもや綱のようにしたもので、長鎖環（ロングリンクチェーン）、短鎖環（ショートリンクチェーン）、装飾品でよく用いられる捻り鎖、装身具や風呂の栓等に使われる玉鎖（ボールチェーン）、ビクター鎖、マンテル鎖、ネックレス等の装身具に用いられる喜平（きへい）、財布やベルトにつけるウォレットチェーンやグルメット等様々なものがある。
【００３２】
リボンとは、頭髪や服飾、贈答品の箱や袋のラッピングなどに使われる長く平べったい紐状のものである。
【００３３】
スパンコールとは、光を反射させるために使用する服飾資材で、穴の空いた金属やプラスチックの小片のことである。直径６ミリ程度の中央に穴の空いた円形のものが多く、そのままあるいは糸を通してリボン状にしたものが好ましく用いられる。
【００３４】
ビーズは、装飾や手芸などに用いる穴の開いた小さな玉を糸や紐を通して数珠状にしたもので、形状は球形や円筒形の物が多いが、花形や星形などさまざまな形状の物がある。素材はガラスやプラスチックから、石、天然石、貝殻、真珠、動物の角、骨など多岐に亘って使用することができる。
【００３５】
また、天然の素材としては、つるをそのまま、または、乾燥させたつるを用いることもできる。
【００３６】
紐状素材に特別な制限はないが、意匠性、植物の成長性等を考慮すると、水を欠かすことができないため、ポリエステル樹脂、アクリル樹脂等の化学繊維が長期的には適している。
【００３７】
更に、紐状素材に加え、宝石や貴金属のビーズやアクセサリー、日本古来の苧環等を紐状素材に取り付けることもできる。これらは、使用される紐状素材によって異なるが、繊維を用いた紐の場合、苧環が特に好ましい。
【００３８】
紐状素材の巻き方に、特に制限はないが、紐を鉛直方向及びその直角方向や、紐が互いに直交するように巻くことは、美的感覚から好ましくない。また、紐の占める面積や紐を締める強さ等、耐水性、耐久性等にも配慮する必要がある。
【００３９】
このような手毬風装飾品は、直接、壁にかけるようにフック等を設けることもできる。更に、額縁に取り付けたものを壁にかけることもできる。
【００４０】
以上の構成材料を用いて作製した手毬風装飾品の模式図を図１に示した。まず、固化培土２を成型すると共に観葉植物１を植栽して、紐状素材を巻く芯２を作製する。次いで、芯２を紐状素材３で巻く。巻き始めは、ピン等で固定する。そして、紐状素材を巻く過程で、アクセサリー４を備え、紐状素材を結んだり、ピン等の金具を用いたり、或いは、紐に絡ませたりして固定する。
【実施例１】
【００４１】
観葉植物としてペペロミア等を、固化培土としてエクセルソイル（登録商標）を用い、半球状に加熱成型すると共に、観葉植物を植栽して、紐状素材を巻く芯を作製した。その後、ポリエステル／アクリル混合繊維を撚り合わせた金色の細紐と紫色の紐を順次巻いて手毬風装飾品（図２）を得た。
【実施例２】
【００４２】
観葉植物として多肉植物（サボテン類）を、固化培土としてエクセルソイルを用い、ハート上に加熱成型すると共に、観葉植物を植栽して、紐状素材を巻く芯を作製した。紐状素材としては、ポリエステル／アクリル混合繊維を撚り合わせた白色の細紐と、綿素材の糸状の紐で通したスパンコールを用いた。まず、スパンコールを巻いた後、上記細紐で装飾した。この手毬風装飾品を、額縁の背面から刺された釘に固定した（図３）。
【００４３】
本発明は上記の実施例に限定されることなく、本技術思想に対して様々な変形、拡充、追加等が可能である。たとえば、上記紐状素材を巻いた上の任意の箇所（たとえば紐と紐の交点等）にエンブレム（たとえば苧環：つむいだ糸を巻いて形成した中空の玉）を付して装飾性を上げてもよい。
【産業上の利用可能性】
【００４４】
本発明の手毬風装飾品は、従来の鉢植された観葉植物や盆栽等と同様に、家庭、ホテル、美容室、飲食店等において観賞されるものであるが、日本古来の手毬という文化との融合を図っているため、お茶室の置物、美術工芸品等として利用できる。逆に、紐として、スパンコールや鎖等を用いたり、額縁に備え付けると、現代的かつ西洋的感覚も加わり、あらゆる状況に適した装飾品としても利用できる。
【符号の説明】
【００４５】
１  植物
２  固形培土
３  紐状素材
４  苧環等のアクセサリー
【図１】
2015058003.tif 000003
【図２】
2015058003.tif 000004
【図３】
2015058003.tif 000005